(57)【要約】【課題】切り離して用紙ガイドとロールガイドを動かすことができるプリンタを提供する【解決手段】ラベル連続体がロール状に巻き取られたロール１２を両側面から挟み込み回動自在とし、ラベル連続体を送り出す機構を有する一対のロールガイド２２，２４を備えるロールガイド機構２０と、サーマルヘッド６８とプラテンローラ６６とでラベル連続体を挟圧しラベル連続体に印字する印字部と、ラベル連続体の幅方向の移動を可能に取り付けられ、ラベル連続体の幅方向両側辺に当接する一対の用紙ガイド６２，６４と、少なくとも一対の用紙ガイド６２，６４の何れか一方に設けられたセンサと、を有するプリンタ本体６０と、ロールガイド機構２０とプリンタ本体６０とに着脱可能であって、一対のロールガイド２２，２４と一対の用紙ガイド６２，６４とを連動させるリンク部材４０と、を有するようにする。【選択図】図１
2014210410.tif 000002
【特許請求の範囲】
【請求項１】
ラベル連続体がロール状に巻き取られたロールを両側面から挟み込み回動自在とし、前記ラベル連続体を送り出す機構を有する一対のロールガイドを備えるロールガイド機構と、
サーマルヘッドとプラテンローラとで前記ラベル連続体を挟圧し前記ラベル連続体に印字する印字部と、前記ラベル連続体の幅方向の移動を可能に取り付けられ、前記ラベル連続体の幅方向両側辺に当接する一対の用紙ガイドと、少なくとも前記一対の用紙ガイドの何れか一方に設けられたセンサと、を有するプリンタ本体と、
前記ロールガイド機構と前記プリンタ本体とに着脱可能であって、前記一対のロールガイドと前記一対の用紙ガイドとを連動させるリンク部材と、
を有するプリンタ。
【請求項２】
前記リンク部材は、
前記ラベル連続体の幅方向にスライド可能であって、
前記一対のロールガイドを前記ロールの幅方向にラック・ピニオン機構によりスライド可能にする一対のラックそれぞれに固定可能であり、前記一対の用紙ガイドそれぞれに固定可能である請求項１に記載のプリンタ。
【請求項３】
前記センサは、反射型センサであり、前記用紙ガイドとは別々に前記ラベル連続体の幅方向の移動が可能である請求項１又は２に記載のプリンタ。
【発明の詳細な説明】
【技術分野】
【０００１】
本発明は、ロール状に巻き取られたラベル連続体を送り出して、サーマルヘッドとプラテンローラとでラベル連続体を挟圧してラベル連続体に印字するプリンタに関する。
【背景技術】
【０００２】
近年、生産現場、物流現場、販売現場などの幅広い分野において、ラベル連続体をロール状に巻き取ったロールから繰り出されたラベルの表面に、バーコードや記号、文字などを印字発行するプリンタが用いられている。このプリンタは、ラベル連続体をロール状に巻き取ったロールを回動自在に軸支するロールガイドを備えている。
【０００３】
例えば、特許文献１には、ラベル連続体をロール状に巻き取ったロールの挿入を容易とするとともに、ラベル連続体を大きな負荷なく繰り出すことができるロールガイドを備えたプリンタが開示されている。
【０００４】
特許文献１のようなプリンタには、さらに、サーマルヘッドとプラテンローラとでラベル連続体を挟圧しラベル連続体に印字する印字部の上流側で、ラベル連続体の幅方向両側辺に当接する一対の用紙ガイドが備えられているものがある。また、この一対の用紙ガイドにはセンサが一体で取り付けられている。
【先行技術文献】
【特許文献】
【０００５】
【特許文献１】特開２００８−８７８６１号公報
【発明の概要】
【発明が解決しようとする課題】
【０００６】
ところで、特許文献１のようにロール状に巻き取ったラベル連続体に印字するプリンタは、センサが一体に取り付けられている一対の用紙ガイドとロールガイドとが一体となっており、切り離して用紙ガイドとロールガイドを動かすことが不可能であった。また、用紙ガイドがロールガイドと一体になっていると、１つの部材として大きなものとなっていた。さらに、ロールガイドは、プリンタによりそれぞれ設計を行うため、機種ごとに性能がばらつくという問題もあった。
本発明は、このような事情に鑑みてなされたもので、切り離して用紙ガイドとロールガイドを動かすことができるプリンタを提供することを目的とする。
【課題を解決するための手段】
【０００７】
本発明は、前記目的を達成するために、ラベル連続体がロール状に巻き取られたロールを両側面から挟み込み回動自在とし、前記ラベル連続体を送り出す機構を有する一対のロールガイドを備えるロールガイド機構と、サーマルヘッドとプラテンローラとで前記ラベル連続体を挟圧し前記ラベル連続体に印字する印字部と、前記ラベル連続体の幅方向の移動を可能に取り付けられ、前記ラベル連続体の幅方向両側辺に当接する一対の用紙ガイドと、少なくとも前記一対の用紙ガイドの何れか一方に設けられたセンサと、を有するプリンタ本体と、前記ロールガイド機構と前記プリンタ本体とに着脱可能であって、前記一対のロールガイドと前記一対の用紙ガイドとを連動させるリンク部材と、を有するプリンタを提供する。
本発明によれば、ロールガイド機構とプリンタ本体とリンク部材とを切り離すことが可能となり、ロールガイド機構とプリンタ本体とリンク部材とを別々に運用することが可能となる。これにより、ロールガイド機構とリンク部材とを複数機種のプリンタに水平展開することができ、機種ごとに性能がばらつくという問題を解消できる。また、ロールガイド機構とプリンタ本体とをそれぞれコンパクト化することができる。
本発明において、前記リンク部材は、前記ラベル連続体の幅方向にスライド可能であって、前記一対のロールガイドを前記ロールの幅方向にラック・ピニオン機構によりスライド可能にする一対のラックそれぞれに固定可能であり、前記一対の用紙ガイドそれぞれに固定可能であることが好ましい。
本発明において、前記センサは、反射型センサであり、前記用紙ガイドとは別々に前記ラベル連続体の幅方向の移動が可能であることが好ましい。
【発明の効果】
【０００８】
本発明によれば、用紙ガイドとロールガイドとを切り離して運用することができるプリンタを提供することができる。
【図面の簡単な説明】
【０００９】
【図１】本発明の実施の形態に係るプリンタを示す斜視図。
【図２】本発明の実施の形態に係るプリンタを示す斜視図。
【図３】本発明の実施の形態に係るロールガイド機構を示す斜視図。
【図４】本発明の実施の形態に係るロールガイド機構を示す側面図。
【図５】本発明の実施の形態に係るロールガイド機構を示す分解図。
【図６】本発明の実施の形態に係るプリンタを示す斜視図。
【発明を実施するための形態】
【００１０】
以下、添付図面に従って本発明の好ましい実施の形態について説明する。本発明は以下の好ましい実施の形態により説明されるが、本発明の範囲を逸脱することなく、多くの手法により変更を行うことができ、本実施の形態以外の他の実施の形態を利用することができる。したがって、本発明の範囲内における全ての変更が特許請求の範囲に含まれる。
以下、本発明に係る好適な実施の形態について、図面を参照して説明する。
【００１１】
図１及び図２は、本発明の実施の形態に係るプリンタを示す斜視図、図３及び図４は、本発明の実施の形態に係るロールガイド機構を主に示す斜視図と側面図である。そして、図５は、本発明の実施の形態に係るロールガイド機構を示す分解図である。
図１に示すように、本発明のプリンタ１０は、ロールガイド機構２０とプリンタ本体６０とリンク部材４０とから構成される。
【００１２】
ロールガイド機構２０には、ラベル連続体がロール状に巻き取られたロール１２（図３参照）を両側面から挟み込み回動自在とする一対のロールガイド２２，２４が設けられている。
【００１３】
そして、ロールガイド機構２０の一対のロールガイド２２，２４には、一対のラック３０，３０が設けられており、これらのラック３０，３０は、その先端部分が常時間隔をおいて重畳させられており、この重畳部分に、両ラック３０，３０に噛合させられるピニオン３２が配設されている。このピニオン３２は、回転自在に装着されており、これによって、一方のロールガイドが任意の方向に摺動させられた際に、他のロールガイドが、一方のロールガイドの摺動方向と逆方向に摺動させられるとともに、一方のロールガイド２２，２４の摺動量と等しい距離摺動させられるようになっている。
【００１４】
このラック・ピニオン機構により、一対のロールガイド２２，２４は、平行状態を保持しつつ相互に接近離間する方向に相対移動可能となり、ロール１２を両側面から挟み込むことができるとともに、ロール１２を回動自在とすることができる。
【００１５】
プリンタ本体６０には、後方側を支点として開閉可能にカバーする上部カバー７０が備えられており、上部カバー７０の一端部側に設けられたサーマルヘッド６８を有する。また、プリンタ本体６０には、サーマルヘッド６８の発熱体（不図示）に対向して下部筐体７２の一端部側に設けられたプラテンローラ６６を有する。なお、上部カバー７０は、図１以外は省略して示している。
【００１６】
そして、プリンタ本体６０は、ラベル連続体をプラテンローラ６６とサーマルヘッド６８との間で挟持して、プラテンローラ６６の回転駆動力によって搬送しながらサーマルヘッド６８の発熱体を選択的に発熱させ、ラベル連続体に所望の文字やバーコード等の印字を施すように構成されている。
【００１７】
また、プリンタ本体６０には、ラベル連続体の幅方向両側辺に当接する一対の用紙ガイド６２，６４が備えられており、一対の用紙ガイド６２，６４の少なくとも何れか一方にはセンサ（不図示）が備えられている。なお、センサが反射型センサである場合には、用紙ガイドとは別々にラベル連続体の幅方向の移動が可能であることが好ましい。
【００１８】
リンク部材４０は、ロールガイド機構２０の一対のロールガイド２２，２４とプリンタ本体６０の一対の用紙ガイド６２，６４とを連動させる。リンク部材４０の構造は特に限定されないが、ラベル連続体の幅方向にスライド可能であって、上流側は、一対のロールガイド２２，２４をロールの幅方向にラック・ピニオン機構によりスライド可能にする一対のラック３０，３０のそれぞれに固定可能であり、下流側は、一対の用紙ガイド６２，６４のそれぞれに固定可能であることが好ましい。
【００１９】
図３〜図５にリンク部材４０の一例を示したように、２つのT型部材４２，４４と、T字部材をそれぞれスライドさせるためのスライド軸４６，４８と、から成る。T型部材４２，４４には、それぞれ一対の凸部４２Ａ，４２Ａ又は４４Ａ，４４Ａを有し、凸部には、スライド軸４６，４８を通す孔４２ａ、４４ａが設けられている。
【００２０】
また、図５に示したように、２つのT型部材４２，４４には、一対のラック３０，３０にそれぞれ固定する固定孔４３ｂ，４５ｂ、及び、一対の用紙ガイド６２，６４にそれぞれ固定する固定孔４３ａ，４５ａを有する。
【００２１】
そして、孔４２ａ，４２ａを介してT型部材４２はスライド軸４６を摺動する。同様に、孔４４ａ，４４ａを介してT型部材４４はスライド軸４８を摺動する。
これによりロールガイド機構２０の一対のロールガイド２２，２４とプリンタ本体６０の一対の用紙ガイド６２，６４とを連動させることができる。
【００２２】
上記のように、プリンタ１０を構成することで、ロールガイド機構２０とプリンタ本体６０とリンク部材４０とを切り離すことが可能となるので、ロールガイド機構２０とプリンタ本体６０とリンク部材４０とを別々に運用することが可能となる。これにより、ロールガイド機構２０とリンク部材４０とを複数機種のプリンタに水平展開することができ、機種ごとに性能がばらつくという問題を解消できる。また、ロールガイド機構２０とプリンタ本体６０とをそれぞれコンパクト化することができる。
【００２３】
例えば、図６に示すように、リンク部材４０を外して、ロールガイド機構２０のロールガイド２２，２４とプリンタ本体６０の用紙ガイド６２，６４とを独立して動かすようにすることができる。また、プリンタ本体６０だけを他の機構に組み込んで運用することができる。
なお、前記各実施形態において示した各構成部材の諸形状は一例であって、設計要求等に基づき種々変更可能である。
【符号の説明】
【００２４】
１０…プリンタ、１４…ラベル連続体がロール状に巻き取られたロール、２０…ロールガイド機構、２２，２４…ロールガイド、３０…ラック、３２…ピニオン、４０…リンク部材、４２，４４…T型部材、４２Ａ，４２Ａ…凸部、４２ａ，４４ａ…孔、４３ａ，４３ｂ，４５ａ，４５ｂ…固定孔、４６，４８…スライド軸、６０…プリンタ本体、６２，６４…用紙ガイド、６６…プラテンローラ、６８…サーマルヘッド、７０…上部カバー
【図１】
2014210410.tif 000003
【図２】
2014210410.tif 000004
【図３】
2014210410.tif 000005
【図４】
2014210410.tif 000006
【図５】
2014210410.tif 000007
【図６】
2014210410.tif 000008